(57)【要約】【課題】鉄塔に設置されるパラボラアンテナ取付架台において、風や地震の影響により、パラボラアンテナ取付架台が鉄塔本体に対してズレないようにするためのズレ防止金具を提供する。【解決手段】鉄塔のリング材にＶ字形ボルトを用いて締付固定され、パラボラアンテナを取り付けるアンテナ固定フレームと、リング材に添わせるようにして固定されるリング添え材と、アンテナ固定フレームとリング添え材とを接続する接続部材とを有するアンテナ架台のズレを防止する金具であって、アンテナ架台のリング添え材の端部からリング材とリング添え材との間に挿入されるクサビ金具と、リング添え材の両端に設置されているクサビ金具同士を接続するクサビ固定金具と、アンテナ固定フレームの角部付近とリング材とを接続する支え金具とで構成されている。【選択図】図１８
2016015703.tif 000002
【特許請求の範囲】
【請求項１】
鉄塔のリング材にＶ字形ボルトを用いて締付固定され、パラボラアンテナを取り付けるアンテナ固定フレームと、リング材に添わせるようにして固定されるリング添え材と、アンテナ固定フレームとリング添え材とを接続する接続部材とを有するアンテナ架台のズレを防止する金具であって、
アンテナ架台のリング添え材の端部からリング材とリング添え材との間に挿入されるクサビ金具と、
リング添え材の両端に設置されているクサビ金具同士を接続するクサビ固定金具と、
アンテナ固定フレームの角部付近とリング材とを接続する支え金具とで構成されていること、
を特徴とするパラボラアンテナ取付架台のズレ防止金具。
【請求項２】
請求項１に記載のパラボラアンテナ取付架台のズレ防止金具において、
前記クサビ金具は、
断面が略Ｌ字形状に形成され、外面側に三角形状のクサビが固定されているＬ形金具と、
リング材の一部に密着する形状に形成され、Ｌ形金具をリング材に固定するために用いられるバンド金具とを有しており、
リング添え材の端部からリング材とリング添え材との間にＬ形金具のクサビを挿入し、Ｌ形金具とバンド金具とでリング材を挟持するようにして、Ｌ形金具とバンド金具とをボルトナットで接続することによりリング材に固定されること、
を特徴とするパラボラアンテナ取付架台のズレ防止金具。
【請求項３】
請求項１に記載のパラボラアンテナ取付架台のズレ防止金具において、
前記クサビ固定金具は、
鋼製の長尺部材の両端に、表面にネジ切り加工が施された棒鋼で形成されるネジ棒が固定されて構成されており、
ネジ棒の端部を前記クサビ金具に設けられた孔に挿通し、ネジ棒にナットを螺合して固定することにより、リング添え材の両端に設置されているクサビ金具同士をクサビ固定金具で接続すること、
を特徴とするパラボラアンテナ取付架台のズレ防止金具。
【請求項４】
請求項１に記載のパラボラアンテナ取付架台のズレ防止金具において、
前記支え金具は、
鋼製の長尺部材の両端に、表面にネジ切り加工が施された棒鋼で形成されるネジ棒が固定されて構成されている支え金具本体と、
前記アンテナ固定フレームの角部付近と前記リング材とに取り付けられる支え固定金具とで構成されており、
支え金具本体の一方のネジ棒の端部を、アンテナ固定フレームの角部付近に取り付けられている支え固定金具に設けられた孔に挿通して、ネジ棒にナットを螺合して固定し、支え金具本体のもう一方のネジ棒の端部を、リング材に取り付けられている支え固定金具に設けられた孔に挿通して、ネジ棒にナットを螺合して固定することにより、アンテナ固定フレームの角部付近とリング材との間に支え固定金具を介して支え金具本体が接続されること、
を特徴とするパラボラアンテナ取付架台のズレ防止金具。
【発明の詳細な説明】
【技術分野】
【０００１】  本発明は、鉄塔に設置されるパラボラアンテナ取付架台（以下、アンテナ架台という。）において、風や地震の影響により、アンテナ架台が鉄塔本体に対してズレないようにするためのズレ防止金具に関するものである。
【背景技術】
【０００２】  鉄塔は、図１に示すように、地上もしくは建物の屋上から縦方向に沿って立設される鉄塔本体１０１と、鉄塔本体１０１の上部に設置される円筒状のリング部１０２とを備えている。鉄塔本体１０１は、縦方向に沿って配置され、鉄塔本体１０１の上端まで延びる複数の主柱材１１１を備えている。また、鉄塔本体１０１は、横方向に配置され、主柱材１１１同士を連結する複数の水平材１１２と、主柱材１１１や水平材１１２と傾斜するように配置され、主柱材１１１同士を連結する複数の斜材１１３とを備えている。通信用のパラボラアンテナ１０３は、リング部１０２にアンテナ架台１０４を介して設置されている。【０００３】  各主柱材は、端部に継手部を有する山形鋼を複数連接し、鉛直方向に対して所定の角度で傾斜して配置される各山形鋼が、継手部同士を重ね合わせてボルトナットで接合されて構成されている。なお、主柱材には山形鋼以外に円筒状の鋼管を用いる場合もあり、端部にフランジ継手部を有する円筒状の鋼管を複数連接し、鉛直方向に対して所定の角度で傾斜して配置される円筒状の各鋼管が、フランジ継手部同士をボルトナットで接合されて構成されている。【０００４】  リング部は、上側支持部と下側支持部とで構成されている。上側支持部および下側支持部は、Ｈ形鋼，山形鋼または溝形鋼からなる支持部材を鉄塔本体の外周に放射状あるいは井桁状に取り付け、支持部材の先端部を、山形鋼を繋いで円形状に形成したリング材で連結して構成されている。また、上側支持部のリング材と下側支持部のリング材は、縦材を介して連結されている。【０００５】  リング部に固定されるアンテナ架台は、パラボラアンテナを取り付けるアンテナ固定フレームと、リング部のリング材に添わせるようにして固定されるリング添え材と、アンテナ固定フレームとリング添え材とを接続する接続部材とを有している。アンテナ固定フレームは、４本のフレーム構成材と、フレーム構成材同士を連結する連結プレートとで構成されており、フレーム構成材のそれぞれ中間にはパラボラアンテナを取り付けるためのボルト孔が設けられている（例えば、特許文献１参照。）。なお、フレーム構成材，リング添え材および接続部材は、山形鋼で形成されている。【０００６】  アンテナ架台のリング部への固定方法は、リング添え材をリング部のリング材に添わせるようにして配置し、リング添え材の一方のフランジ面とリング材の一方のフランジ面とをボルトナットで接合して固定する方法と、リング添え材をリング部のリング材に添わせ、リング添え材とリング材に接するようにして架台固定金具を配置し、Ｖ字形ボルトのＶ字形状内にリング添え材とリング材とを嵌めて、Ｖ字形ボルトを架台固定金具に形成した孔に挿通し、Ｖ字形ボルトの両端にナットをねじ込んで締付固定する方法がある。【０００７】  リング添え材とリング材とをボルトナットで接合してアンテナ架台を固定する方法の場合、アンテナ架台をリング部に強固に固定することができるが、アンテナ架台の取付位置を変更する時には、変更後の位置のリング材に現地孔あけ加工が必要となる。これに対して、Ｖ字形ボルトを用いてアンテナ架台を締付固定する方法の場合は、リング材に孔あけ加工をせずに、任意の位置にアンテナ架台を配置することができる。
【先行技術文献】
【特許文献】
【０００８】
【特許文献１】特開昭５６−３１２０２号公報
【発明の概要】
【発明が解決しようとする課題】
【０００９】  しかしながら、Ｖ字形ボルトを用いてアンテナ架台をリング部に締付固定する方法の場合、Ｖ字形ボルトのＶ字形状内にリング添え材とリング材とを嵌めて締め付けているため、アンテナ架台に、リング添え材およびリング材の部材軸方向の大きな荷重が作用すると、アンテナ架台の固定位置が鉄塔本体に対してズレてしまい、パラボラアンテナの方向が変わって通信障害が生じる場合がある。【００１０】  また、既にＶ字形ボルトを用いてリング部に固定されているアンテナ架台において、アンテナ架台が鉄塔本体に対してズレないようにするために、アンテナ架台の固定方法を、リング添え材とリング材とをボルトナットで接合して固定する方法に変更する場合、リング添え材とリング材に孔あけ加工が必要となる。現地で部材に孔あけ加工を施す場合、鉄塔周辺へ切粉屑が飛散しないように飛散防止ネットを設置する必要があり、作業に手間と費用がかかるという問題がある。【００１１】  そこで、本発明の課題は、Ｖ字形ボルトを用いてリング部に固定されているアンテナ架台において、風や地震の影響により、アンテナ架台が鉄塔本体に対してズレないようにするためのズレ防止金具を提供することにある。
【課題を解決するための手段】
【００１２】  上記の課題を解決するため、本発明のアンテナ架台のズレ防止金具は、鉄塔のリング材にＶ字形ボルトを用いて締付固定され、パラボラアンテナを取り付けるアンテナ固定フレームと、リング材に添わせるようにして固定されるリング添え材と、アンテナ固定フレームとリング添え材とを接続する接続部材とを有するアンテナ架台のズレを防止する金具であって、アンテナ架台のリング添え材の端部からリング材とリング添え材との間に挿入されるクサビ金具と、リング添え材の両端に設置されているクサビ金具同士を接続するクサビ固定金具と、アンテナ固定フレームの角部付近とリング材とを接続する支え金具とで構成されていることを特徴としている。【００１３】  また、前記クサビ金具は、断面が略Ｌ字形状に形成され、外面側に三角形状のクサビが固定されているＬ形金具と、リング材の一部に密着する形状に形成され、Ｌ形金具をリング材に固定するために用いられるバンド金具とを有しており、リング添え材の端部からリング材とリング添え材との間にＬ形金具のクサビを挿入し、Ｌ形金具とバンド金具とでリング材を挟持するようにして、Ｌ形金具とバンド金具とをボルトナットで接続することによりリング材に固定されることを特徴としている。【００１４】  また、前記クサビ固定金具は、鋼製の長尺部材の両端に、表面にネジ切り加工が施された棒鋼で形成されるネジ棒が固定されて構成されており、ネジ棒の端部を前記クサビ金具に設けられた孔に挿通し、ネジ棒にナットを螺合して固定することにより、リング添え材の両端に設置されているクサビ金具同士をクサビ固定金具で接続することを特徴としている。【００１５】  また、前記支え金具は、鋼製の長尺部材の両端に、表面にネジ切り加工が施された棒鋼で形成されるネジ棒が固定されて構成されている支え金具本体と、前記アンテナ固定フレームの角部付近と前記リング材とに取り付けられる支え固定金具とで構成されており、支え金具本体の一方のネジ棒の端部を、アンテナ固定フレームの角部付近に取り付けられている支え固定金具に設けられた孔に挿通して、ネジ棒にナットを螺合して固定し、支え金具本体のもう一方のネジ棒の端部を、リング材に取り付けられている支え固定金具に設けられた孔に挿通して、ネジ棒にナットを螺合して固定することにより、アンテナ固定フレームの角部付近とリング材との間に支え固定金具を介して支え金具本体が接続されることを特徴としている。
【発明の効果】
【００１６】  本発明のアンテナ架台のズレ防止金具は、アンテナ架台のリング添え材の端部からリング材とリング添え材との間にクサビ金具を挿入し、このリング添え材の両端に設置されたクサビ金具同士をクサビ固定金具で接続していること、および、アンテナ固定フレームの角部付近とリング材とを支え金具で接続していることから、アンテナ架台に、リング添え材およびリング材の部材軸方向の大きな荷重が作用しても、アンテナ架台の固定位置が鉄塔本体に対してズレは生じない。【００１７】  また、本発明のアンテナ架台のズレ防止金具を設置する際には、リング部およびアンテナ架台の構成部材に孔あけ加工を必要としないため、鉄塔周辺へ切粉屑が飛散することがなく、また、飛散防止ネットを設置する必要がないことから、作業の手間と費用を抑えることができる。
【図面の簡単な説明】
【００１８】
【図１】鉄塔の一例を示す正面図である。
【図２】リング部の一例を示す上面図である。
【図３】リング部に固定されたアンテナ架台の一例を示す上面図である。
【図４】リング部に固定されたアンテナ架台の一例を示す正面図である。
【図５】リング部に固定されたアンテナ架台の一例を示す側面図である。
【図６】Ｖ字形ボルトを用いて、リング添え材とリング材を締付固定した状態を示す図である。
【図７】クサビ金具のＬ形金具を示す上面図である。
【図８】図７のＡ−Ａ線から見たＬ形金具の側面図である。
【図９】図７のＢ−Ｂ線から見たＬ形金具の側面図である。
【図１０】クサビ金具の設置状況を示す上面図である。
【図１１】図１０のＣ−Ｃ線から見たクサビ金具の設置状況を示す側面図である。
【図１２】図１１のＤ−Ｄ線から見たバンド金具の正面図である。
【図１３】ズレ防止金具のクサビ固定金具を示す正面図である。
【図１４】クサビ固定金具の取付状態を示す上面図である。
【図１５】クサビ固定金具の取付状態を示す正面図である。
【図１６】ズレ防止金具の支え金具の支え金具本体を示す正面図である。
【図１７】ズレ防止金具の支え金具の支え固定金具を示す斜視図である。
【図１８】支え金具の取付状態を示す上面図である。
【図１９】支え金具の取付状態を示す正面図である。
【発明を実施するための形態】
【００１９】  以下、本発明の実施形態を、添付の図面を参照しながら詳細に説明する。
【００２０】  図１は、鉄塔の一例を示す正面図である。鉄塔１００は、地上もしくは建物の屋上から縦方向に沿って立設される鉄塔本体１０１と、鉄塔本体１０１の上部に設置される円筒状のリング部１０２とを備えている。鉄塔本体１０１は、縦方向に沿って配置され、鉄塔本体１０１の上端まで延びる複数の主柱材１１１を備えている。また、鉄塔本体１０１は、横方向に配置され、主柱材１１１同士を連結する複数の水平材１１２と、主柱材１１１や水平材１１２と傾斜するように配置され、主柱材１１１同士を連結する複数の斜材１１３とを備えている。
【００２１】  図２は、リング部の一例を示す上面図である。リング部１０２は、上側支持部１２１と下側支持部１２２とで構成されている。上側支持部１２１および下側支持部１２２は、Ｈ形鋼，山形鋼または溝形鋼からなる支持部材１２４を、鉄塔本体１０１の水平材１１２の中央部および鉄塔本体１０１の四角断面の角部に放射状に取り付け、支持部材１２４の先端部を、山形鋼を繋いで円形状に形成したリング材１２３で連結して構成されている。また、上側支持部１２１および下側支持部１２２には、補強のために、鉄塔本体１０１とリング材１２３とを接続する支持部補強材１２６が取り付けられており、鉄塔本体１０１の四角断面には断面材１１４が取り付けられている。なお、図２に示すリング部１０２の例では、支持部材１２４を鉄塔本体１０１の外周に放射状に取り付けた場合を示しているが、支持部材１２４を鉄塔本体１０１の外周に井桁状に取り付けても構わない。また、上側支持部１２１のリング材１２３と下側支持部１２２のリング材１２３は、縦材１２５を介して連結されている。
【００２２】  図３はリング部に固定されたアンテナ架台の一例を示す上面図、図４はリング部に固定されたアンテナ架台の一例を示す正面図、図５はリング部に固定されたアンテナ架台の一例を示す側面図である。リング部１０２に固定されるアンテナ架台１０４は、パラボラアンテナ１０３を取り付けるアンテナ固定フレーム１と、リング部１０２のリング材１２３に添わせるようにして固定されるリング添え材２と、アンテナ固定フレーム１とリング添え材２とを接続する接続部材３とを有している。
【００２３】  アンテナ架台１０４のアンテナ固定フレーム１は、フレーム構成材４と、フレーム構成材４同士を連結する連結プレート５と、補強材６とで構成されている。フレーム構成材４は、山形鋼で形成されており、フレーム構成材４の中央にはパラボラアンテナ１０３を取り付けるためのボルト孔７（以下、アンテナ取付用孔という。）が設けられている。このフレーム構成材４を４本用いて直方形状のフレームを形成し、隣接するフレーム構成材４の端部同士を連結プレート５で連結してアンテナ固定フレーム１が形成される。また、フレーム構成材４のアンテナ取付用孔７近傍と、隣接するフレーム構成材４のアンテナ取付用孔７近傍との間に補強材６を取り付けて、アンテナ固定フレーム１が補強されている。
【００２４】  アンテナ架台１０４のリング添え材２は、山形鋼で形成されており、リング材１２３と同じ曲げ半径で加工され、アンテナ固定フレーム１の幅よりも大きい長さで形成されている。このリング添え材２は、リング部１０２の上側支持部１２１と下側支持部１２２のリング材１２３にそれぞれ添わせるようにして配置されている。リング添え材２とリング材１２３は、Ｖ字形ボルト９を用いて固定する。図６は、Ｖ字形ボルト９を用いて、リング添え材２とリング材１２３を締付固定した状態を示す図である。リング添え材２とリング材１２３の固定方法は、リング添え材２とリング材１２３の一方のフランジ面に接するようにして架台固定金具８を配置し、Ｖ字形ボルト９を用いて、Ｖ字形ボルト９のＶ字形状内にリング添え材２とリング材１２３とを嵌め、Ｖ字形ボルト９を架台固定金具８に形成した孔に挿通し、Ｖ字形ボルト９の両端にナットをねじ込んで締付固定されている。
【００２５】  アンテナ架台１０４の接続部材３は、山形鋼で形成されており、一方の端部が連結プレート１０を介してリング添え材２に接続され、もう一方の端部が連結プレート１０を介して直方形状のアンテナ固定フレーム１の角部に接続されている。この接続部材３によりアンテナ固定フレーム１とリング添え材２が接続されて、アンテナ架台１０４がリング部１０２に固定される。
【００２６】  なお、アンテナ架台１０４の上面および下面において、アンテナ固定フレーム１のフレーム構成材４の中央付近と、接続部材３とリング添え材２の固定位置付近との間に補強材１１を取り付けて、アンテナ架台１０４が補強されている。また、アンテナ架台１０４の側面において、アンテナ固定フレーム１のフレーム構成材４の中央付近と、接続部材３とリング添え材２の固定位置付近との間に補強材１１を取り付けて、アンテナ架台１０４が補強されている。
【００２７】  本発明のアンテナ架台１０４のズレ防止金具は、リング添え材２の端部からリング材１２３とリング添え材２との間に挿入されるクサビ金具１２と、リング添え材２の両端に設置されているクサビ金具１２同士を接続するクサビ固定金具１３と、アンテナ固定フレーム１の角部付近とリング材１２３とを接続する支え金具１４とで構成されている。
【００２８】  ズレ防止金具のクサビ金具１２は、略Ｌ字形状のＬ形金具１５と、Ｌ形金具１５をリング材１２３に固定するためのバンド金具１６とを有している。図７はクサビ金具１２のＬ形金具１５を示す上面図、図８は図７のＡ−Ａ線から見たＬ形金具１５の側面図、図９は図７のＢ−Ｂ線から見たＬ形金具１５の側面図である。Ｌ形金具１５は、略Ｌ字形状に形成され、長手方向中央部の一方のフランジの外面側に三角形状のクサビ１７が固定されている。また、Ｌ形金具１５の三角形状のクサビ１７が固定されている方のフランジには、クサビ固定金具１３と接続するためのボルト孔１８が設けられ、Ｌ形金具１５のもう一方のフランジにはバンド金具１６と接続するためのボルト孔１９が設けられている。
【００２９】  図１０はズレ防止金具のクサビ金具１２の設置状況を示す上面図、図１１は図１０のＣ−Ｃ線から見たクサビ金具１２の設置状況を示す側面図、図１２は図１１のＤ−Ｄ線から見たバンド金具の正面図である。前記バンド金具１６は、リング材１２３の山形鋼の内面に密着するような形状に形成されて、リング材１２３の内面側に配置されており、端部付近にはＬ形金具１５と接続するためのボルト孔２０が設けられている。ズレ防止金具のクサビ金具１２は、リング添え材２の端部からリング材１２３とリング添え材２との間にＬ形金具１５のクサビ１７を挿入し、Ｌ形金具１５のバンド金具１６と接続するためのボルト孔１９と、リング材１２３の内面側に配置されているバンド金具１６のＬ形金具１５と接続するためのボルト孔２０とにボルトを挿通し、ボルトナット２１で接続することにより、Ｌ形金具１５とバンド金具１６とでリング材１２３を挟持して、クサビ金具１２がリング材１２３に固定される。このクサビ金具１２は、リング部１０２の上側支持部１２１および下側支持部１２２のリング材１２３にそれぞれ添わせるようにして配置されているリング添え材２の両端に設置される。
【００３０】  図１３はズレ防止金具のクサビ固定金具１３を示す正面図、図１４はクサビ固定金具１３の取付状態を示す上面図、図１５はクサビ固定金具１３の取付状態を示す正面図である。ズレ防止金具のクサビ固定金具１３は、鋼製の長尺部材２２の両端に、表面にネジ切り加工が施された棒鋼で形成されるネジ棒２３が固定されて構成されている。このクサビ固定金具１３は、ネジ棒２３の端部を、前記クサビ金具１２のＬ形金具１５に設けられているクサビ固定金具１３と接続するためのボルト孔１８に挿通し、ネジ棒２３にはＬ形金具１５のフランジを挟むようにしてナット２４が螺合されており、このナット２４を緊締することにより、クサビ固定金具１３がクサビ金具１２に接続される。このようにして、リング添え材２の両端に設置されているクサビ金具１２同士をクサビ固定金具１３で接続する。なお、クサビ固定金具１３は、クサビ金具１２のクサビ１７の上方および下方に接続され、１つのクサビ金具１２につき２つのクサビ固定金具１３が接続される。
【００３１】  ズレ防止金具の支え金具１４は、鋼製の長尺部材２５の両端に、表面にネジ切り加工が施された棒鋼で形成されるネジ棒２６が固定されて構成されている支え金具本体２７と、アンテナ固定フレーム１とリング材１２３とに取り付けられる支え固定金具２８とで構成されている。図１６はズレ防止金具の支え金具１４の支え金具本体２７を示す正面図、図１７はズレ防止金具の支え金具１４の支え固定金具２８を示す斜視図、図１８は支え金具１４の取付状態を示す上面図、図１９は支え金具１４の取付状態を示す正面図である。支え固定金具２８は、Ｌ字形状に形成されており、一方のフランジには、アンテナ固定フレーム１またはリング材１２３に固定するためのボルト孔２９が設けられており、もう一方のフランジには、支え金具本体２７と接続するためのボルト孔３０が設けられている。
【００３２】  支え固定金具２８は、アンテナ架台１０４の上面および下面において、アンテナ固定フレーム１と接続部材３との接続箇所に配置され、支え固定金具２８のアンテナ固定フレーム１に固定するためのボルト孔２９に、アンテナ固定フレーム１と接続部材３とを接続するのに使用されているボルトを挿通し、ボルトナットで接続することにより、支え固定金具２８がアンテナ固定フレーム１の角部付近に固定される。また、支え固定金具２８は、上側支持部１２１および下側支持部１２２のリング材１２３において、リング材１２３同士の接続箇所に配置され、支え固定金具２８のリング材１２３に固定するためのボルト孔２９に、リング材１２３同士を接続するのに使用されているボルトを挿通し、ボルトナットで接続することにより、支え固定金具２８がリング材１２３のリング材１２３同士を接続している箇所に固定される。
【００３３】  支え金具本体２７は、支え金具本体２７の一方のネジ棒２６の端部を、アンテナ固定フレーム１の角部付近に固定されている支え固定金具２８の、支え金具本体２７と接続するためのボルト孔３０に挿通し、ネジ棒２６には支え固定金具２８のフランジを挟むようにしてナット３１が螺合されており、このナット３１を緊締することにより、アンテナ固定フレーム１の角部付近に固定されている支え固定金具２８に接続される。また、支え金具本体２７は、支え金具本体２７のもう一方のネジ棒２６の端部を、リング材１２３に固定されている支え固定金具２８の、支え金具本体２７と接続するためのボルト孔３０に挿通し、ネジ棒２６には支え固定金具２８のフランジを挟むようにしてナット３１が螺合されており、このナット３１を緊締することにより、リング材１２３に固定されている支え固定金具２８に接続される。このようにして、アンテナ固定フレーム１の角部付近とリング材１２３とを支え金具１４とで接続して、本発明のズレ防止金具がアンテナ架台１０４に設置される。
【００３４】  本発明のアンテナ架台１０４のズレ防止金具は、アンテナ架台１０４のリング添え材２の端部からリング材１２３とリング添え材２との間にクサビ金具１２を挿入し、このリング添え材の両端に設置されたクサビ金具１２同士をクサビ固定金具１３で接続していることから、アンテナ架台１０４に、リング添え材２およびリング材１２３の部材軸方向の大きな荷重が作用しても、アンテナ架台１０４の固定位置が鉄塔本体に対してズレが生じるのを防止することができる。さらに、アンテナ固定フレーム１の角部付近とリング材１２３とを支え金具１４で接続していることから、アンテナ架台１０４に、リング添え材２およびリング材１２３の部材軸方向の大きな荷重が作用しても、アンテナ架台１０４の固定位置が鉄塔本体に対してズレが生じるのを防止することができる。
【００３５】  また、アンテナ架台１０４のズレ防止金具を設置する際には、リング部１０２およびアンテナ架台１０４の構成部材に孔あけ加工を必要としないため、鉄塔周辺へ切粉屑が飛散することがなく、また、飛散防止ネットを設置する必要がないことから、作業の手間と費用を抑えることができる。
【符号の説明】
【００３６】    １  アンテナ固定フレーム
２  リング添え材
３  接続部材
４  フレーム構成材
５  連結プレート
６  補強材
７  アンテナ取付用孔
８  架台固定金具
９  Ｖ字形ボルト
１０  連結プレート
１１  補強材
１２  クサビ金具
１３  クサビ固定金具
１４  支え金具
１５  Ｌ形金具
１６  バンド金具
１７  クサビ
１８  クサビ固定金具と接続するためのボルト孔
１９  バンド金具と接続するためのボルト孔
２０  Ｌ形金具と接続するためのボルト孔
２１  ボルトナット
２２  クサビ固定金具を構成する長尺部材
２３  クサビ固定金具を構成するネジ棒
２４  ナット
２５  支え金具本体を構成する長尺部材
２６  支え金具本体を構成するネジ棒
２７  支え金具本体
２８  支え固定金具
２９  アンテナ固定フレームまたはリング材に固定するためのボルト孔
３０  支え金具本体と接続するためのボルト孔
３１  ナット
１００  鉄塔
１０１  鉄塔本体
１０２  リング部
１０３  パラボラアンテナ
１０４  アンテナ架台
１１１  主柱材
１１２  水平材
１１３  斜材
１１４  断面材
１２１  上側支持部
１２２  下側支持部
１２３  リング材
１２４  支持部材
１２５  縦材
１２６  支持部補強材
【図１】
2016015703.tif 000003
【図２】
2016015703.tif 000004
【図３】
2016015703.tif 000005
【図４】
2016015703.tif 000006
【図５】
2016015703.tif 000007
【図６】
2016015703.tif 000008
【図７】
2016015703.tif 000009
【図８】
2016015703.tif 000010
【図９】
2016015703.tif 000011
【図１０】
2016015703.tif 000012
【図１１】
2016015703.tif 000013
【図１２】
2016015703.tif 000014
【図１３】
2016015703.tif 000015
【図１４】
2016015703.tif 000016
【図１５】
2016015703.tif 000017
【図１６】
2016015703.tif 000018
【図１７】
2016015703.tif 000019
【図１８】
2016015703.tif 000020
【図１９】
2016015703.tif 000021